(57)【要約】      （修正有）【課題】脚を綺麗に見せるブーツを提供する。【解決手段】ブーツ本体と、ブーツ本体の開口から上方に連設された胴筒１２とを有し、この胴筒１２は、円筒状の表地１２ａの内面に、円筒状の裏地１２ｂを貼り合わせることで形成されるブーツにおいて、裏地１２ｂはストレッチ布帛から形成され、布帛の非伸張状態における裏地外径は、表地内径よりも小さいものとし、この裏地１２ｂは、その外径が表地内径とほぼ等しくなるまで伸張させた状態で、表地１２ａの内面に部分的に貼り合わせたのである。胴筒１２に収縮力が生じているため、このブーツを履くと、足首からふくらはぎにかけてが引き締められ、脚が綺麗に見える。【選択図】図２
0003135245.tif 000002
【実用新案登録請求の範囲】
【請求項１】
足首から先を収納するブーツ本体と、ブーツ本体の開口から上方に連設され、足首からふくらはぎにかけてを収納する胴筒とを有し、前記胴筒は、円筒状の表地の内面に、円筒状の裏地を貼り付けまたは縫い付けることで形成されるブーツにおいて、
前記円筒状の裏地はストレッチ布帛から形成され、布帛の非伸張状態における裏地外径は、表地内径よりも小さいものとし、この裏地を、その外径が表地内径とほぼ等しくなるまで伸張させた状態で、表地の内面に部分的に貼り付けまたは縫い付けたことを特徴とするブーツ。
【請求項２】
上記胴筒の足首収納部における表地内径と非伸張状態の裏地外径との径差を、胴筒のふくらはぎ収納部における表地内径と非伸張状態の裏地外径との径差よりも大きくした請求項１に記載のブーツ。
【請求項３】
上記裏地のストレッチ布帛は、スパンデックスの織布である請求項１または２に記載のブーツ。
【請求項４】
上記ブーツ本体の内面に、ゲルマニウム入りの布帛を貼り付けまたは縫い付けた請求項１から３のいずれかに記載のブーツ。
【考案の詳細な説明】
【技術分野】
【０００１】
この考案は、履いた状態で脚が引き締まって綺麗に見えるブーツに関する。
【背景技術】
【０００２】
足首から先を収納するブーツ本体と、ブーツ本体の開口から上方に連設され、足首からふくらはぎにかけてを収納する胴筒とを有するブーツにおいて、前記胴筒は、一般に、それぞれ円筒状の表地と裏地の二層構造になっており、表地の内面に裏地を貼り付けるか縫い付けることで形成されている。
【０００３】
ここで、従来の胴筒は、製造の都合などから、表地と裏地について同じ原型の型紙（同じシルエットの型紙）を用いて作製しており、表地と裏地とはほぼ相似形であった。
そのため、このような表地の中に裏地を挿入すると、裏地の外径は、筒に厚みがある分、表地の内径よりも大きいので、表地内面と裏地外面とがきっちりとは合わさらず、裏地が表地内面から部分的に浮き上がるなどして、裏地が波打ったような状態になりがちであった。
このため、表地と裏地とを綺麗に貼り付けたり、縫い付けたりしにくく、手間がかかった。
【０００４】
一方、こうした従来のブーツでは、長時間履いていると脚の血行が悪くなってむくみ、これに伴いふくらはぎの肉が足首側に落ちてくるため、足首が太く見える問題もあった。
【考案の開示】
【考案が解決しようとする課題】
【０００５】
そこで、この考案の解決すべき課題は、ブーツについて、胴筒の表地と裏地の貼り合わせや縫い合わせを容易にし、かつ脚を綺麗に見せることである。
【課題を解決するための手段】
【０００６】
上記した課題を解決するため、この考案のブーツでは、裏地をストレッチ布帛から形成し、布帛の非伸張状態における裏地外径を、表地内径よりも小さいものとし、この裏地を、その外径が表地内径とほぼ等しくなるまで伸張させた状態で、表地内面に部分的に貼り付けるか縫い付けることで胴筒を形成したのである。
【０００７】
このようにすると、伸張状態の裏地の外径と表地の内径とがほぼ等しいため、表地内面と裏地外面とがきっちりと合わさり、裏地が波打つことなく、貼り合わせ、縫い合わせが容易である。
【０００８】
また、仕上がり状態で裏地のストレッチ布帛を伸張させており、胴筒に収縮力が生じているので、このブーツを履くと、足首からふくらはぎにかけてが周囲から締めつけられ、引き締まる。
したがって、ブーツを履いて長時間を経ても、この引き締め効果により、ふくらはぎ等の肉が足首まで落ちてこず、脚が細く綺麗に見える。
【０００９】
胴筒の足首収納部における表地内径と非伸張状態の裏地外径との径差を、胴筒のふくらはぎ収納部における表地内径と非伸張状態の裏地外径との径差よりも大きくすると、胴筒の足首収納部の収縮力が、ふくらはぎ収納部の収縮力よりも相対的に大きくなるため、特に足首が細く引き締まって見える。
【００１０】
ストレッチ布帛としては、スパンデックス（ポリウレタン系繊維）の織布が伸縮性に優れて脚の引き締め効果が特に高く、耐久性も良好であるため好ましい。
【００１１】
ブーツ本体の内面に、ゲルマニウム入りの布帛を貼り合わせると、ゲルマニウムの血行促進効果により脚のむくみが抑えられ、一層脚が細く見える。
【考案の効果】
【００１２】
ストレッチ布帛からなる裏地を伸張させた状態で、表地内面に部分的に貼り合わせるか縫い合わせるかして胴筒を形成したので、貼り合わせが容易であり、かつ胴筒に収縮力が生じているため、脚が引き締まって綺麗に見える。
【考案を実施するための最良の形態】
【００１３】
図１に示す実施形態のブーツ１０は、足先を収納するブーツ本体１１と、ブーツ本体１１の開口から上方に連設され。足首からふくらはぎにかけてを収納する円筒状の胴筒１２とからなる。
【００１４】
図２のように、胴筒１２は、シート状の皮革を円筒状に丸めて形成される表地１２ａの内面に、スパンデックスの織布を円筒状に丸めて形成される伸縮可能な裏地１２ｂを部分的に貼り付けるか縫い付けることで作製されている。
【００１５】
ここで、図２（ａ）のように、非伸張状態における裏地１２ｂの外径は、表地１２ａの内径よりも若干小さく設定されており、貼り合わせの際には、裏地１２ｂの外径が表地１２ａの内径とほぼ等しくなるまで裏地１２ｂを伸張させている。
そのため、貼り合せ、縫い合わせの際には、表地１２ａ内面と裏地１２ｂ外面とがきっちりと合わさり、裏地１２ｂが波打つことなく、仕上げが容易である。
また図２（ｂ）のように、仕上がったブーツ１０の胴筒１２は、裏地１２ｂが伸張した状態であるため、収縮力が生じている。
【００１６】
さらに詳しくは、胴筒１２の足首収納部における表地１２ａ内径と非伸張状態の裏地１２ｂ外径との径差ｄ１は、胴筒１２のふくらはぎ収納部における表地１２ａ内径と非伸張状態の裏地１２ｂ外径との径差ｄ２よりも大きく設定されている。
このように、仕上がり状態で、裏地１２ｂのふくらはぎ収納部よりも足首収納部のほうが伸張度が高いため、胴筒１２の収縮力は、ふくらはぎ収納部よりも足首収納部のほうが大きくなっている。
【００１７】
また、ブーツ本体１１は、その形状は従来と同様であるため、詳しい説明は省略するが、その底部内面の先端には、図３のように、ゲルマニウム溶液を染み込ませた布帛１１ａが貼り合わせられている。
【００１８】
このブーツ１０を履いた場合、上述した胴筒１２の収縮力により、図１の矢印に示すように、足首からふくらはぎにかけて、特に足首収納部が周りから締め付けられるため、ブーツ１０を長時間を履いても、ふくらはぎ等の肉が足首まで落ちてこず、脚が引き締まり、綺麗に見える。
上述したように、足首収納部の収縮力が特に強いため、足首は一層引き締められて細く見える。
また、ブーツ本体１１内面のゲルマニウム布帛１１ａが脚の血行を促進するため、脚のむくみが抑えられ、さらに一層脚が細く見える。
【図面の簡単な説明】
【００１９】
【図１】ブーツの全体側面図
【図２】（ａ）は表地と裏地の貼り合わせ縫い合わせ前の胴筒の横断面図、（ｂ）は貼り合わせ縫い合わせ後の胴筒の横断面図
【図３】ブーツ本体先端部の横断面図
【符号の説明】
【００２０】
１０  ブーツ
１１  ブーツ本体
１１ａ  ゲルマニウム布帛
１２  胴筒
１２ａ  表地
１２ｂ  裏地
【図１】
0003135245.tif 000003
【図２】
0003135245.tif 000004
【図３】
0003135245.tif 000005